(57)【要約】【課題】ＴＴＳ機能による音声を制約無く出力することができる制御方法を提供する。【解決手段】制御方法は、再生装置４の操作を受け付けるステップと、再生装置４において操作の内容を示す操作データを生成するステップと、生成した操作データを再生装置４から表示装置８に送信するステップと、表示装置８において、受信した操作データに基づいて操作の内容を示す音声データを生成するステップと、表示装置８において音声データの示す音声を出力するステップとを含む。【選択図】図４
2018182390.tif 000002
【特許請求の範囲】
【請求項１】
受信装置に接続された送信装置の操作の内容を示す音声を出力する制御方法であって、
前記送信装置の前記操作を受け付けるステップと、
前記送信装置において前記操作の内容を示す操作データを生成するステップと、
生成した前記操作データを前記送信装置から前記受信装置に送信するステップと、
前記受信装置において、受信した前記操作データに基づいて前記操作の内容を示す音声データを生成するステップと、
前記受信装置において前記音声データの示す前記音声を出力するステップと、を含む
制御方法。
【請求項２】
前記送信装置と前記受信装置とは、デジタル信号を送受信するためのデジタルケーブルを介して接続されている
請求項１に記載の制御方法。
【請求項３】
前記操作データは、前記操作の内容を示すテキストデータを含み、
前記音声データを生成するステップでは、前記テキストデータに基づいて前記音声データを生成する
請求項２に記載の制御方法。
【請求項４】
前記送信するステップでは、前記テキストデータのサイズが閾値を超える場合に、前記テキストデータを複数の分割テキストデータに分割し、分割した前記複数の分割テキストデータを前記送信装置から前記受信装置に送信し、
前記音声データを生成するステップでは、受信した前記複数の分割テキストデータを結合することにより前記テキストデータを生成し、生成した前記テキストデータに基づいて前記音声データを生成する
請求項３に記載の制御方法。
【請求項５】
前記制御方法は、さらに、前記操作の内容を示すテキストデータと、前記テキストデータを特定するためのＩＤデータとが対応付けられたテーブルを記憶部に記憶するステップを含み、
前記操作データは、前記ＩＤデータを含み、
前記音声データを生成するステップでは、前記テーブルから、受信した前記ＩＤデータに対応する前記テキストデータを読み出し、読み出した前記テキストデータに基づいて前記音声データを生成する
請求項２に記載の制御方法。
【請求項６】
前記送信装置は、映像コンテンツを再生する再生装置であり、
前記受信装置は、前記再生装置により再生された前記映像コンテンツを表示する表示装置であり、
前記再生装置と前記表示装置とは、アナログ信号を送受信するためのアナログケーブルを介して接続されている
請求項１に記載の制御方法。
【請求項７】
前記送信するステップでは、前記操作データが重畳された前記映像コンテンツの映像信号を前記再生装置から前記表示装置に出力する
請求項６に記載の制御方法。
【請求項８】
外部装置に接続可能な送信装置であって、
前記送信装置の操作を受け付ける受付部と、
受け付けられた前記操作の内容を示す操作データを生成する操作データ生成部と、
生成した前記操作データを前記外部装置に送信する送信部と、を備える
送信装置。
【請求項９】
前記外部装置とは、デジタル信号を送受信するためのデジタルケーブルを介して接続されており、
前記操作データ生成部は、前記操作の内容を示すテキストデータを含む前記操作データを生成する
請求項８に記載の送信装置。
【請求項１０】
前記操作データ生成部は、前記テキストデータのサイズが閾値を超える場合に、前記テキストデータを複数の分割テキストデータに分割し、
前記送信部は、分割された前記複数の分割テキストデータを前記外部装置に送信する
請求項９に記載の送信装置。
【請求項１１】
さらに、前記テキストデータと、前記テキストデータを特定するためのＩＤデータとが対応付けられたテーブルを記憶する記憶部を備え、
前記操作データ生成部は、前記テーブルに基づいて、前記ＩＤデータを含む前記操作データを生成する
請求項９に記載の送信装置。
【請求項１２】
前記送信装置は、映像コンテンツを再生する再生装置であり、
前記外部装置は、前記再生装置により再生された前記映像コンテンツを表示する表示装置であり、
前記再生装置と前記表示装置とは、アナログ信号を送受信するためのアナログケーブルを介して接続されている
請求項８に記載の送信装置。
【請求項１３】
前記送信部は、前記操作データが重畳された前記映像コンテンツの映像信号を前記表示装置に出力する
請求項１２に記載の送信装置。
【請求項１４】
外部装置に接続可能な受信装置であって、
前記外部装置の操作の内容を示す操作データを、前記外部装置から受信する受信部と、
受信した前記操作データに基づいて、前記操作の内容を示す音声データを生成する音声データ生成部と、
生成した前記音声データの示す音声を出力する出力部と、を備える
受信装置。
【請求項１５】
前記外部装置とは、デジタル信号を送受信するためのデジタルケーブルを介して接続されており、
前記受信部は、前記操作の内容を示すテキストデータを含む前記操作データを前記外部装置から受信する
請求項１４に記載の受信装置。
【請求項１６】
前記受信部が前記テキストデータを分割した複数の分割テキストデータを前記外部装置から受信した場合、前記音声データ生成部は、受信した前記複数の分割テキストデータを結合することにより前記テキストデータを生成し、生成した前記テキストデータに基づいて前記音声データを生成する
請求項１５に記載の受信装置。
【請求項１７】
さらに、前記テキストデータと、前記テキストデータを特定するためのＩＤデータとが対応付けられたテーブルを記憶する記憶部を備え、
前記音声データ生成部は、前記受信部が前記ＩＤデータを含む前記操作データを受信し、受信した前記ＩＤデータに対応する前記テキストデータに基づいて前記音声データを生成する
請求項１５に記載の受信装置。
【請求項１８】
前記外部装置は、映像コンテンツを再生する再生装置であり、
前記受信装置は、前記再生装置により再生された前記映像コンテンツを表示する表示装置であり、
前記再生装置と前記表示装置とは、アナログ信号を送受信するためのアナログケーブルを介して接続されている
請求項１４に記載の受信装置。
【請求項１９】
前記受信部は、前記操作データが重畳された前記映像コンテンツの映像信号を前記再生装置から入力する
請求項１８に記載の受信装置。
【発明の詳細な説明】
【技術分野】
【０００１】
本発明は、制御方法、送信装置及び受信装置に関する。
【背景技術】
【０００２】
米国の「２１世紀における通信と映像アクセシビリティに関する２０１０年法（ＣＶＡＡ）」では、デジタル機器（例えば、テレビジョン受像機又はデジタルビデオプレーヤ／レコーダ等）の製造業者に対して、全盲又は弱視のユーザが利用可能な各機能をデジタル機器に搭載することが義務付けられている。
【０００３】
そのため、デジタル機器には、テキストを読み上げるＴＴＳ（Ｔｅｘｔ−Ｔｏ−Ｓｐｅｅｃｈ）機能の搭載が要求されている。このＴＴＳ機能により、例えば、リモコンによりテレビジョン受像機の電源がオンされた際に、電源オンを示す音声を当該テレビジョン受像機から出力することができる。
【先行技術文献】
【特許文献】
【０００４】
【特許文献１】特開２０１１−１５１５３７号公報
【発明の概要】
【発明が解決しようとする課題】
【０００５】
しかしながら、例えばＤＶＤ（Ｄｉｇｉｔａｌ  Ｖｅｒｓａｔｉｌｅ  Ｄｉｓｃ）プレーヤ又はＢＤ（Ｂｌｕ−ｒａｙ（登録商標）  Ｄｉｓｃ）プレーヤ等のデジタル機器では、その性能上、ＴＴＳ機能による音声を当該デジタル機器から出力する際に、映像コンテンツの再生に制約が生じる場合がある。
【０００６】
本発明は、上述した課題を解決しようとするものであり、その目的は、ＴＴＳ機能による音声を制約無く出力することができる制御方法、送信装置及び受信装置を提供することである。
【課題を解決するための手段】
【０００７】
上記目的を達成するために、本発明の一態様に係る制御方法は、受信装置に接続された送信装置の操作の内容を示す音声を出力する制御方法であって、前記送信装置の前記操作を受け付けるステップと、前記送信装置において前記操作の内容を示す操作データを生成するステップと、生成した前記操作データを前記送信装置から前記受信装置に送信するステップと、前記受信装置において、受信した前記操作データに基づいて前記操作の内容を示す音声データを生成するステップと、前記受信装置において前記音声データの示す前記音声を出力するステップと、を含む。
【０００８】
本態様によれば、送信装置において送信装置の操作が受け付けられた際に、ＴＴＳ機能による音声を送信装置から出力するのではなく、送信装置と接続された受信装置から出力する。これにより、ＴＴＳ機能による音声を送信装置から出力する際に制約が生じる場合であっても、ＴＴＳ機能による音声を制約無く出力することができる。
【０００９】
例えば、本発明の一態様に係る制御方法において、前記送信装置と前記受信装置とは、デジタル信号を送受信するためのデジタルケーブルを介して接続されているように構成してもよい。
【００１０】
例えば、本発明の一態様に係る制御方法において、前記操作データは、前記操作の内容を示すテキストデータを含み、前記音声データを生成するステップでは、前記テキストデータに基づいて前記音声データを生成するように構成してもよい。
【００１１】
本態様によれば、テキストデータに基づいて音声データを生成するので、音声データを容易に生成することができる。
【００１２】
例えば、本発明の一態様に係る制御方法において、前記送信するステップでは、前記テキストデータのサイズが閾値を超える場合に、前記テキストデータを複数の分割テキストデータに分割し、分割した前記複数の分割テキストデータを前記送信装置から前記受信装置に送信し、前記音声データを生成するステップでは、受信した前記複数の分割テキストデータを結合することにより前記テキストデータを生成し、生成した前記テキストデータに基づいて前記音声データを生成するように構成してもよい。
【００１３】
本態様によれば、テキストデータのサイズが比較的大きい場合であっても、テキストデータを送信装置から受信装置に容易に送信することができる。
【００１４】
例えば、本発明の一態様に係る制御方法において、前記制御方法は、さらに、前記操作の内容を示すテキストデータと、前記テキストデータを特定するためのＩＤデータとが対応付けられたテーブルを記憶部に記憶するステップを含み、前記操作データは、前記ＩＤデータを含み、前記音声データを生成するステップでは、前記テーブルから、受信した前記ＩＤデータに対応する前記テキストデータを読み出し、読み出した前記テキストデータに基づいて前記音声データを生成するように構成してもよい。
【００１５】
本態様によれば、ＩＤデータを送信装置から受信装置に送信するので、送信装置から受信装置に送信するデータのサイズを小さく抑えることができる。
【００１６】
例えば、本発明の一態様に係る制御方法において、前記送信装置は、映像コンテンツを再生する再生装置であり、前記受信装置は、前記再生装置により再生された前記映像コンテンツを表示する表示装置であり、前記再生装置と前記表示装置とは、アナログ信号を送受信するためのアナログケーブルを介して接続されているように構成してもよい。
【００１７】
例えば、本発明の一態様に係る制御方法において、前記送信するステップでは、前記操作データが重畳された前記映像コンテンツの映像信号を前記再生装置から前記表示装置に出力するように構成してもよい。
【００１８】
本態様によれば、操作データが重畳された映像信号を再生装置から表示装置に出力することができる。
【００１９】
また、本発明の一態様に係る送信装置は、外部装置に接続可能な送信装置であって、前記送信装置の操作を受け付ける受付部と、受け付けられた前記操作の内容を示す操作データを生成する操作データ生成部と、生成した前記操作データを前記外部装置に送信する送信部と、を備える。
【００２０】
本態様によれば、送信装置において送信装置の操作が受け付けられた際に、ＴＴＳ機能による音声を送信装置から出力するのではなく、送信装置と接続された外部装置から出力する。これにより、ＴＴＳ機能による音声を送信装置から出力する際に制約が生じる場合であっても、ＴＴＳ機能による音声を制約無く出力することができる。
【００２１】
例えば、本発明の一態様に係る制御方法において、前記外部装置とは、デジタル信号を送受信するためのデジタルケーブルを介して接続されており、前記操作データ生成部は、前記操作の内容を示すテキストデータを含む前記操作データを生成するように構成してもよい。
【００２２】
本態様によれば、外部装置において、テキストデータに基づいて音声データを容易に生成することができる。
【００２３】
例えば、本発明の一態様に係る制御方法において、前記操作データ生成部は、前記テキストデータのサイズが閾値を超える場合に、前記テキストデータを複数の分割テキストデータに分割し、前記送信部は、分割された前記複数の分割テキストデータを前記外部装置に送信するように構成してもよい。
【００２４】
本態様によれば、テキストデータのサイズが比較的大きい場合であっても、テキストデータを外部装置に容易に送信することができる。
【００２５】
例えば、本発明の一態様に係る制御方法において、さらに、前記テキストデータと、前記テキストデータを特定するためのＩＤデータとが対応付けられたテーブルを記憶する記憶部を備え、前記操作データ生成部は、前記テーブルに基づいて、前記ＩＤデータを含む前記操作データを生成するように構成してもよい。
【００２６】
本態様によれば、ＩＤデータを外部装置に送信するので、外部装置に送信するデータのサイズを小さく抑えることができる。
【００２７】
例えば、本発明の一態様に係る制御方法において、前記送信装置は、映像コンテンツを再生する再生装置であり、前記外部装置は、前記再生装置により再生された前記映像コンテンツを表示する表示装置であり、前記再生装置と前記表示装置とは、アナログ信号を送受信するためのアナログケーブルを介して接続されているように構成してもよい。
【００２８】
例えば、本発明の一態様に係る制御方法において、前記送信部は、前記操作データが重畳された前記映像コンテンツの映像信号を前記表示装置に出力するように構成してもよい。
【００２９】
本態様によれば、操作データが重畳された映像信号を表示装置に出力することができる。
【００３０】
また、本発明の一態様に係る受信装置は、外部装置に接続可能な受信装置であって、前記外部装置の操作の内容を示す操作データを、前記外部装置から受信する受信部と、受信した前記操作データに基づいて、前記操作の内容を示す音声データを生成する音声データ生成部と、生成した前記音声データの示す音声を出力する出力部と、を備える。
【００３１】
本態様によれば、外部装置において外部装置の操作が受け付けられた際に、ＴＴＳ機能による音声を外部装置から出力するのではなく、外部装置と接続された受信装置から出力する。これにより、ＴＴＳ機能による音声を外部装置から出力する際に制約が生じる場合であっても、ＴＴＳ機能による音声を制約無く出力することができる。
【００３２】
例えば、本発明の一態様に係る制御方法において、前記外部装置とは、デジタル信号を送受信するためのデジタルケーブルを介して接続されており、前記受信部は、前記操作の内容を示すテキストデータを含む前記操作データを前記外部装置から受信するように構成してもよい。
【００３３】
本態様によれば、テキストデータに基づいて音声データを容易に生成することができる。
【００３４】
例えば、本発明の一態様に係る制御方法において、前記受信部が前記テキストデータを分割した複数の分割テキストデータを前記外部装置から受信した場合、前記音声データ生成部は、受信した前記複数の分割テキストデータを結合することにより前記テキストデータを生成し、生成した前記テキストデータに基づいて前記音声データを生成するように構成してもよい。
【００３５】
本態様によれば、テキストデータのサイズが比較的大きい場合であっても、テキストデータを容易に受信することができる。
【００３６】
例えば、本発明の一態様に係る制御方法において、さらに、前記テキストデータと、前記テキストデータを特定するためのＩＤデータとが対応付けられたテーブルを記憶する記憶部を備え、前記音声データ生成部は、前記受信部が前記ＩＤデータを含む前記操作データを受信し、受信した前記ＩＤデータに対応する前記テキストデータに基づいて前記音声データを生成するように構成してもよい。
【００３７】
本態様によれば、ＩＤデータを受信するので、受信するデータのサイズを小さく抑えることができる。
【００３８】
例えば、本発明の一態様に係る制御方法において、前記外部装置は、映像コンテンツを再生する再生装置であり、前記受信装置は、前記再生装置により再生された前記映像コンテンツを表示する表示装置であり、前記再生装置と前記表示装置とは、アナログ信号を送受信するためのアナログケーブルを介して接続されているように構成してもよい。
【００３９】
例えば、本発明の一態様に係る制御方法において、前記受信部は、前記操作データが重畳された前記映像コンテンツの映像信号を前記再生装置から入力するように構成してもよい。
【００４０】
本態様によれば、操作データが重畳された映像信号を再生装置から入力することができる。
【００４１】
なお、本発明は、送信装置又は受信装置に含まれる特徴的な処理部としてコンピュータを機能させるためのプログラム又は制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００４２】
本発明の一態様に係る制御方法等によれば、ＴＴＳ機能による音声を制約無く出力することができる。
【図面の簡単な説明】
【００４３】
【図１】実施の形態１（，２，４及び５）に係る再生装置の機能構成を示すブロック図である。
【図２】実施の形態１（，２，４及び５）に係る表示装置の機能構成を示すブロック図である。
【図３】実施の形態１に係るシステムの動作を示すシーケンス図である。
【図４】実施の形態２に係るシステムの動作を示すシーケンス図である。
【図５】実施の形態３に係る再生装置の機能構成を示すブロック図である。
【図６】実施の形態３に係る再生装置の記憶部に記憶されたテーブルの一例を示す図である。
【図７】実施の形態３に係る表示装置の機能構成を示すブロック図である。
【図８】実施の形態３に係るシステムの動作を示すシーケンス図である。
【図９】実施の形態４に係るシステムの動作を示すシーケンス図である。
【図１０】プライベートデータクラスのデータ構造の一例を示す図である。
【図１１】実施の形態５に係るシステムの動作を示すシーケンス図である。
【発明を実施するための形態】
【００４４】
以下、本発明の実施の形態について、図面を用いて詳細に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、独立請求項に記載されていない構成要素については、任意の構成要素として説明される。
【００４５】
（実施の形態１）
［１−１．システムの構成］
まず、図１及び図２を参照しながら、実施の形態１に係るシステム２の構成について説明する。図１は、実施の形態１に係る再生装置４の機能構成を示すブロック図である。図２は、実施の形態１に係る表示装置８の機能構成を示すブロック図である。
【００４６】
図１及び図２に示すように、システム２は、再生装置４（送信装置の一例）と、リモートコントローラ６（以下、「リモコン６」という）と、表示装置８（受信装置の一例）とを備えている。
【００４７】
再生装置４は、例えば、ＤＶＤ又はＢＤ等に格納された映像コンテンツを再生するためのデジタルビデオプレーヤである。
【００４８】
リモコン６は、再生装置４を操作するためのコントローラである。リモコン６は、ユーザによって使用される。リモコン６には、再生装置４を操作するための複数のボタンが設けられている。なお、リモコン６の複数のボタンには、例えば映像コンテンツを再生（プレイ）するためのプレイボタン１０が含まれる。
【００４９】
表示装置８は、例えば、再生装置４により再生された映像コンテンツを表示するためのテレビジョン受像機である。
【００５０】
再生装置４及び表示装置８は、いずれもＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）機器である。再生装置４と表示装置８とは、ＨＤＭＩケーブル１２（デジタルケーブルの一例）を介して相互に接続されている。ＨＤＭＩケーブル１２は、ＨＤＭＩ規格に準拠したケーブルであり、デジタル信号を送受信するためのケーブルである。なお、ＨＤＭＩ規格とは、映像／音声をデジタル信号で伝送する通信インターフェースの標準規格である。
【００５１】
ＨＤＭＩ規格では、複数のＨＤＭＩ機器間でリンクするためのＣＥＣ（Ｃｏｎｓｕｍｅｒ  Ｅｌｅｃｔｒｏｎｉｃｓ  Ｃｏｎｔｒｏｌ）が規定されている。ＣＥＣに従って、複数のＨＤＭＩ機器間で双方向にＣＥＣコマンドが通信される。この通信をＣＥＣ通信と呼ぶ。このＣＥＣ通信により、例えば、再生装置４の電源オンに連動して、表示装置８の電源オンを実現することができる。
【００５２】
また、再生装置４及び表示装置８の各々には、ＴＴＳ機能が搭載されている。ＴＴＳ機能とは、テキストデータを音声データに変換し、当該音声データの示す音声を出力する機能である。特に、本実施の形態では、ＴＴＳ機能は、全盲又は弱視のユーザによるデジタル機器の操作をサポートするための音声出力機能を意味する。
【００５３】
［１−２．再生装置の機能構成］
次に、図１を参照しながら、実施の形態１に係る再生装置４の機能構成について説明する。以下では、再生装置４の複数の機能構成のうち、本発明に関連する機能構成のみを説明する。
【００５４】
図１に示すように、再生装置４は、機能構成として、受付部１４と、生成部１６（操作データ生成部の一例）と、再生部１８と、通信部２０（送信部の一例）とを備えている。
【００５５】
受付部１４は、リモコン６からのリモコン信号を受信することにより、リモコン６による再生装置４の操作（例えば、映像コンテンツを再生する操作）を受け付ける。
【００５６】
生成部１６は、受付部１４により受け付けられた操作の内容を示す操作データを生成する。操作データは、テキストデータと終端文字（ＮＵＬＬデータ）とを含むデータである。本実施の形態では、テキストデータは、１３ｂｙｔｅ以下の文字列のデータである。例えば、受付部１４により受け付けられた操作が映像コンテンツを再生する操作である場合には、生成部１６は、当該操作の内容を示す「Ｐｌａｙ」という文字列のテキストデータを生成する。
【００５７】
再生部１８は、例えば、ＤＶＤ又はＢＤ等に格納された映像コンテンツを再生する。
【００５８】
通信部２０は、例えばＣＥＣ通信インターフェースであり、表示装置８（外部装置の一例）との間で各種データを送受信する。具体的には、通信部２０は、例えばＣＥＣコマンド、操作データ及び映像コンテンツ等を表示装置８に送信する。
【００５９】
［１−３．表示装置の機能構成］
次に、図２を参照しながら、実施の形態１に係る表示装置８の機能構成について説明する。以下では、表示装置８の複数の機能構成のうち、本発明に関連する機能構成のみを説明する。
【００６０】
図２に示すように、表示装置８は、通信部２２（受信部の一例）と、変換部２４（音声データ生成部の一例）と、抽出部２６と、合成部２８と、音声出力部３０（出力部の一例）とを備えている。
【００６１】
通信部２２は、例えばＣＥＣ通信インターフェースであり、再生装置４（外部装置の一例）との間で各種データを送受信する。具体的には、通信部２２は、例えばＣＥＣコマンド、操作データ及び映像コンテンツ等を再生装置４から受信する。
【００６２】
変換部２４は、通信部２２により受信された操作データのテキストデータをＴＴＳ音声データ（音声データの一例）に変換する。すなわち、ＴＴＳ音声データは、再生装置４の受付部１４により受け付けられた操作の内容を示す音声データである。
【００６３】
抽出部２６は、通信部２２により受信された映像コンテンツからコンテンツ音声データを抽出する。
【００６４】
合成部２８は、変換部２４からのＴＴＳ音声データと、抽出部２６からのコンテンツ音声データとを合成する。
【００６５】
音声出力部３０は、合成部２８により合成されたＴＴＳ音声データ及びコンテンツ音声データの示す音声を出力するためのスピーカである。音声出力部３０は、ＴＴＳ音声データの示す音声とコンテンツ音声データの示す音声とを重畳させて出力する。例えば、再生装置４の受付部１４により受け付けられた操作が映像コンテンツを再生する操作である場合には、図２に示すように、音声出力部３０は、当該操作の内容を示す「Ｐｌａｙ」と発音した音声（機械音声）を出力する。
【００６６】
［１−４．システムの動作］
次に、図３を参照しながら、実施の形態１に係るシステム２の動作（システム２における制御方法）について説明する。図３は、実施の形態１に係るシステム２の動作を示すシーケンス図である。
【００６７】
図３に示すように、まず、ユーザがリモコン６を用いて再生装置４を操作することにより、再生装置４の受付部１４は、再生装置４の操作を受け付ける（Ｓ１０１）。例えば、ユーザがリモコン６のプレイボタン１０を押下した場合には、受付部１４は、映像コンテンツを再生する操作を受け付ける。
【００６８】
その後、再生装置４の生成部１６は、受付部１４により受け付けられた操作の内容を示す操作データ（テキストデータ）を生成する（Ｓ１０２）。例えば、受付部１４により受け付けられた操作が映像コンテンツを再生する操作である場合には、生成部１６は、当該操作の内容を示す「Ｐｌａｙ」という文字列のテキストデータを生成する。
【００６９】
その後、再生装置４の通信部２０は、ＣＥＣコマンドである＜ＧＩＶＥ  ＴＴＳ  ＴＥＸＴ＞コマンドと、生成部１６により生成された操作データ（テキストデータ）とを表示装置８に送信する（Ｓ１０３）。
【００７０】
その後、表示装置８の通信部２２は、再生装置４からの＜ＧＩＶＥ  ＴＴＳ  ＴＥＸＴ＞コマンドと操作データ（テキストデータ）とを受信する（Ｓ１０４）。
【００７１】
その後、表示装置８の変換部２４は、通信部２２により受信された操作データのテキストデータをＴＴＳ音声データに変換する（Ｓ１０５）。また、抽出部２６は、通信部２２により受信された映像コンテンツからコンテンツ音声データを抽出し、合成部２８は、変換部２４からのＴＴＳ音声データと、抽出部２６からのコンテンツ音声データとを合成する。
【００７２】
その後、音声出力部３０は、ＴＴＳ音声データの示す音声とコンテンツ音声データの示す音声とを重畳させて出力する（Ｓ１０６）。例えば、再生装置４の受付部１４により受け付けられた操作が映像コンテンツを再生する操作である場合には、音声出力部３０は、当該操作の内容を示す「Ｐｌａｙ」と発音した音声を出力する。
【００７３】
［１−５．効果］
次に、実施の形態１に係るシステム２により得られる効果について説明する。ＴＴＳ機能による音声を再生装置４から出力する際に、再生装置４の性能上、映像コンテンツの再生に制約が生じる場合がある。このような場合、実施の形態１に係るシステム２では、再生装置４の受付部１４が再生装置４の操作を受け付けた際に、ＴＴＳ機能による音声を再生装置４から出力するのではなく、再生装置４とＨＤＭＩ接続された表示装置８から出力する。これにより、ＴＴＳ機能による音声を制約無く出力することができる。
【００７４】
（実施の形態２）
［２−１．システムの動作］
次に、図１、図２及び図４を参照しながら、実施の形態２に係るシステム２Ａの動作について説明する。図４は、実施の形態２に係るシステム２Ａの動作を示すシーケンス図である。なお、以下の各実施の形態では、上記実施の形態１と同一の構成要素には同一の符号を付して、その説明を省略する。
【００７５】
一般に、ＣＥＣの制約上、１４ｂｙｔｅを超える操作データ（テキストデータ１４ｂｙｔｅ以上＋終端文字１ｂｙｔｅ）を１回で送信することができない。そのため、実施の形態２に係るシステム２Ａ（図１参照）では、テキストデータが１３ｂｙｔｅ（閾値の一例）を超える文字列のデータである場合には、テキストデータを複数の分割テキストデータに分割し、これらの複数の分割テキストデータを再生装置４Ａから表示装置８Ａへ順次送信する。以下、実施の形態２に係るシステム２Ａの動作について具体的に説明する。
【００７６】
図５に示すように、まず、ユーザがリモコン６（図１参照）を用いて再生装置４Ａを操作することにより、再生装置４Ａの受付部１４（図１参照）は、再生装置４Ａの操作を受け付ける（Ｓ２０１）。
【００７７】
その後、再生装置４Ａの生成部１６Ａ（図１参照）は、受付部１４により受け付けられた操作の内容を示す操作データ（テキストデータ）を生成する（Ｓ２０２）。このとき、テキストデータが１３ｂｙｔｅを超える（例えば２０ｂｙｔｅ）文字列のデータである場合には、生成部１６Ａは、テキストデータを複数の分割テキストデータに分割する（Ｓ２０３）。本実施の形態では、テキストデータを２つの分割テキストデータ（第１の分割テキストデータ及び第２の分割テキストデータ）に分割する場合について説明する。
【００７８】
その後、再生装置４Ａの通信部２０Ａ（図１参照）は、＜ＧＩＶＥ  ＴＴＳ  ＴＥＸＴ＞コマンドと、第１の操作データとを表示装置８Ａに送信する（Ｓ２０４）。第１の操作データは、第１の分割テキストデータ（１４ｂｙｔｅ）のみを含み、終端文字を含まない。
【００７９】
その後、表示装置８Ａの通信部２２Ａ（図２参照）は、再生装置４Ａからの＜ＧＩＶＥ  ＴＴＳ  ＴＥＸＴ＞コマンドと第１の操作データとを受信する（Ｓ２０５）。
【００８０】
その後、表示装置８Ａの変換部２４Ａ（図２参照）は、通信部２２Ａにより受信された第１の操作データに終端文字が含まれていないと判定すると、第１の分割テキストデータをキャッシュする（Ｓ２０６）。
【００８１】
その後、再生装置４Ａの通信部２０Ａは、＜ＧＩＶＥ  ＴＴＳ  ＴＥＸＴ＞コマンドと、第２の操作データとを表示装置８Ａに送信する（Ｓ２０７）。第２の操作データは、第２の分割テキストデータ（６ｂｙｔｅ）と終端文字（１ｂｙｔｅ）とを含む。
【００８２】
その後、表示装置８Ａの通信部２２Ａは、再生装置４Ａからの＜ＧＩＶＥ  ＴＴＳ  ＴＥＸＴ＞コマンドと第２の操作データとを受信する（Ｓ２０８）。
【００８３】
その後、表示装置８Ａの変換部２４Ａは、通信部２２Ａにより受信された第２の操作データに終端文字が含まれていると判定すると、キャッシュした第１の分割テキストデータと今回受信した第２の分割テキストデータとを結合することにより（Ｓ２０９）、テキストデータを生成（復元）する。
【００８４】
その後、変換部２４Ａは、生成したテキストデータをＴＴＳ音声データに変換し（Ｓ２１０）、音声出力部３０は、ＴＴＳ音声データの示す音声を出力する（Ｓ２１１）。
【００８５】
［２−３．効果］
本実施の形態では、テキストデータが１３ｂｙｔｅを超える文字列のデータである場合であっても、再生装置４Ａから表示装置８Ａへテキストデータを送信することができる。
【００８６】
なお、本実施の形態では、テキストデータを２つの分割テキストデータに分割する場合について説明したが、これに限定されず、３つ以上の分割テキストデータに分割してもよい。
【００８７】
また、本実施の形態では、変換部２４Ａが通信部２２Ａにより受信された操作データに終端文字が含まれていると判定した際に、複数の分割テキストデータを結合したが、複数の分割テキストデータを結合するタイミングは任意でよい。例えば、変換部２４Ａは、分割テキストデータを受信する毎に、複数の分割テキストデータを順次結合してもよい。
【００８８】
（実施の形態３）
［３−１．システムの構成］
次に、図５〜図７を参照しながら、実施の形態３に係るシステム２Ｂの構成について説明する。図５は、実施の形態３に係る再生装置４Ｂの機能構成を示すブロック図である。図６は、実施の形態３に係る再生装置４Ｂの記憶部３２に記憶されたテーブルの一例を示す図である。図７は、実施の形態３に係る表示装置８Ｂの機能構成を示すブロック図である。
【００８９】
実施の形態３に係るシステム２Ｂでは、テキストデータに代えて、ＩＤ（Ｉｄｅｎｔｉｆｙ）データを再生装置４Ｂから表示装置８Ｂへ送信する。以下、実施の形態３に係るシステム２Ｂの構成について具体的に説明する。
【００９０】
図５に示すように、再生装置４Ｂは、上記実施の形態１で説明した構成要素に加えて、記憶部３２を備えている。記憶部３２は、再生装置４Ｂの操作の内容を示すテキストデータと、テキストデータを特定するためのＩＤデータとが対応付けられたテーブルを記憶する。ＩＤデータは、例えば「１」、「２」、「３」、・・・の数字で表されるデータである。図６に示す例では、ＩＤデータ「１」には、映像コンテンツを再生する操作を示すテキストデータ「Ｐｌａｙ」が対応付けられている。また、ＩＤデータ「２」には、映像コンテンツの再生を停止する操作を示すテキストデータ「Ｓｔｏｐ」が対応付けられている。さらに、ＩＤデータ「３」には、映像コンテンツの再生を一時停止する操作を示すテキストデータ「Ｐａｕｓｅ」が対応付けられている。
【００９１】
生成部１６Ｂは、記憶部３２に記憶されたテーブルに基づいて、受付部１４により受け付けられた操作に対応するＩＤデータを生成する。
【００９２】
通信部２０Ｂは、再生装置４Ｂの起動時に、記憶部３２に記憶されたテーブルを表示装置８Ｂに送信する。また、通信部２０Ｂは、生成部１６Ｂにより生成されたＩＤデータを表示装置８Ｂに送信する。
【００９３】
図７に示すように、表示装置８Ｂは、上記実施の形態１で説明した構成要素に加えて、記憶部３４を備えている。記憶部３４は、通信部２２Ｂが受信したテーブルを記憶する。
【００９４】
通信部２２Ｂは、再生装置４Ｂからのテーブル及びＩＤデータを受信する。
【００９５】
変換部２４Ｂは、記憶部３４に記憶されたテーブルから、通信部２２Ｂにより受信されたＩＤデータに対応するテキストデータを読み出し、読み出したテキストデータをＴＴＳ音声データに変換する。
【００９６】
［３−２．システムの動作］
次に、図８を参照しながら、実施の形態３に係るシステム２Ｂの動作について説明する。図８は、実施の形態３に係るシステム２Ｂの動作を示すシーケンス図である。
【００９７】
図８に示すように、まず、再生装置４Ｂの起動時において、再生装置４Ｂの通信部２０Ｂは、ＣＥＣコマンドである＜ＧＩＶＥ  ＴＴＳ  ＩＤ  ＴＡＢＬＥ＞コマンドと、記憶部３２に記憶されたテーブルとを表示装置８Ｂに送信する（Ｓ３０１）。
【００９８】
その後、表示装置８Ｂの通信部２２Ｂは、再生装置４Ｂからの＜ＧＩＶＥ  ＴＴＳ  ＩＤ  ＴＡＢＬＥ＞コマンドとテーブルとを受信する（Ｓ３０２）。通信部２２Ｂにより受信されたテーブルは、記憶部３４に記憶される（Ｓ３０３）。
【００９９】
ユーザがリモコン６を用いて再生装置４Ｂを操作することにより、再生装置４Ｂの受付部１４は、再生装置４Ｂの操作を受け付ける（Ｓ３０４）。例えば、ユーザがリモコン６のプレイボタン１０を押下した場合には、受付部１４は、映像コンテンツを再生する操作を受け付ける。
【０１００】
その後、再生装置４Ｂの生成部１６Ｂは、受付部１４により受け付けられた操作に対応する操作データ（ＩＤデータ）を生成する（Ｓ３０５）。例えば、受付部１４により受け付けられた操作が映像コンテンツを再生する操作である場合には、生成部１６Ｂは、当該操作に対応するＩＤデータ「１」を生成する。
【０１０１】
その後、再生装置４Ｂの通信部２０Ｂは、ＣＥＣコマンドである＜ＧＩＶＥ  ＴＴＳ  ＩＤ＞コマンドと、生成部１６Ｂにより生成された操作データ（ＩＤデータ）とを表示装置８Ｂに送信する（Ｓ３０６）。
【０１０２】
その後、表示装置８Ｂの通信部２２Ｂは、再生装置４Ｂからの＜ＧＩＶＥ  ＴＴＳ  ＩＤ＞コマンドと操作データ（ＩＤデータ）とを受信する（Ｓ３０７）。
【０１０３】
その後、表示装置８Ｂの変換部２４Ｂは、記憶部３４に記憶されたテーブルから、通信部２２Ｂにより受信されたＩＤデータに対応するテキストデータを読み出す（Ｓ３０８）。例えば、受付部１４により受け付けられた操作が映像コンテンツを再生する操作である場合には、変換部２４Ｂは、ＩＤデータ「１」に対応するテキストデータ「Ｐｌａｙ」を読み出す。変換部２４Ｂは、読み出したテキストデータをＴＴＳ音声データに変換する（Ｓ３０９）。
【０１０４】
その後、音声出力部３０は、ＴＴＳ音声データの示す音声を出力する（Ｓ３１０）。例えば、再生装置４Ｂの受付部１４により受け付けられた操作が映像コンテンツを再生する操作である場合には、音声出力部３０は、当該操作の内容を示す「Ｐｌａｙ」と発音した音声を出力する。
【０１０５】
［３−３．効果］
本実施の形態では、テキストデータに代えて、ＩＤデータを再生装置４Ｂから表示装置８Ｂへ送信するので、再生装置４Ｂから表示装置８Ｂへ送信するデータのサイズを小さく抑えることができる。
【０１０６】
（実施の形態４）
［４−１．システムの構成］
次に、図１及び図２を参照しながら、実施の形態４に係るシステム２Ｃの構成について説明する。
【０１０７】
図１及び図２に示すように、実施の形態４に係るシステム２Ｃでは、再生装置４Ｃと表示装置８Ｃとは、アナログケーブル３６を介して相互に接続されている。アナログケーブル３６は、アナログ信号を送受信するためのケーブルである。
【０１０８】
再生装置４Ｃの生成部１６Ｃは、生成したテキストデータを、映像コンテンツのアナログ映像信号（映像信号の一例）に含まれるプライベートデータクラス（Ｐｒｉｖａｔｅ  Ｄａｔａ  Ｃｌａｓｓ）のデータに重畳させる。プライベートデータクラスは、クローズドキャプション（Ｃｌｏｓｅｄ  Ｃａｐｒｉｏｎ）のＸＤＳ（Ｅｘｔｅｎｄｅｄ  Ｄａｔａ  Ｓｅｒｖｉｃｅｓ）のパケットの種類の１つである。
【０１０９】
例えばＮＴＳＣ（Ｎａｔｉｏｎａｌ  Ｔｅｌｅｖｉｓｉｏｎ  Ｓｔａｎｄａｒｄ  Ｃｏｍｍｉｔｔｅｅ）信号等のアナログ映像信号の先頭には、画面（第１フィールド）の上部から下部まで走査した電子ビームが次の画面（第２フィールド）の上部に戻るために必要な区間として、垂直帰線区間が設定されている。ＮＴＳＣ信号の場合、走査線の１番目(第１フィールドのライン１、第２フィールドのライン２６３)から２１番目(第１フィールドのライン２１、第２フィールドのライン２８４)までが垂直帰線区間に設定されている。この垂直帰線区間のうち、２１番目の走査線（第２フィールドのライン２８４）にプライベートデータクラスのデータが付加される。
【０１１０】
なお、プライベートデータクラスは、閉じたネットワークでのみ利用可能と規定されているため、本実施の形態のシステム２Ｃのように、再生装置４Ｃと表示装置８Ｃとが接続された環境で利用することができる。また、クローズドキャプションによる字幕データが第１のフィールドのライン２１を使用するのに対して、プライベートデータクラスは第２のフィールドのライン２８４を使用する。そのため、字幕表示とＴＴＳ機能による音声出力とを同時に扱うことができる。
【０１１１】
［４−２．システムの動作］
次に、図９及び図１０を参照しながら、実施の形態４に係るシステム２Ｃの動作について説明する。図９は、実施の形態４に係るシステム２Ｃの動作を示すシーケンス図である。図１０は、プライベートデータクラスのデータ構造の一例を示す図である。
【０１１２】
図９に示すように、まず、ユーザがリモコン６を用いて再生装置４Ｃを操作することにより、再生装置４Ｃの受付部１４は、再生装置４Ｃの操作を受け付ける（Ｓ４０１）。
【０１１３】
その後、再生装置４Ｃの生成部１６Ｃは、受付部１４により受け付けられた操作の内容を示す操作データ（テキストデータ）を生成する（Ｓ４０２）。生成部１６Ｃは、生成したテキストデータを、映像コンテンツのアナログ映像信号に含まれるプライベートデータクラスのデータに重畳させる（Ｓ４０３）。このとき、図１０に示すように、生成部１６Ｃは、プライベートデータクラスのデータに、ＴＴＳ機能のテキストデータであることを示すＴＴＳ識別子を設けておく。
【０１１４】
その後、再生装置４Ｃの映像信号出力部２０Ｃ（送信部の一例）は、操作データ（テキストデータ）がプライベートデータクラスのデータに重畳されたアナログ映像信号を表示装置８Ｃに出力する（Ｓ４０４）。
【０１１５】
その後、表示装置８Ｃの映像信号入力部２２Ｃ（受信部の一例）は、再生装置４Ｃからのアナログ映像信号を入力し（Ｓ４０５）、アナログ映像信号のプライベートデータクラスのデータに重畳された操作データ（テキストデータ）を抽出する（Ｓ４０６）。
【０１１６】
その後、表示装置８Ｃの変換部２４Ｃは、抽出された操作データのテキストデータをＴＴＳ音声データに変換する（Ｓ４０７）。音声出力部３０（図３参照）は、ＴＴＳ音声データの示す音声を出力する（Ｓ４０８）。
【０１１７】
［４−３．効果］
本実施の形態では、再生装置４Ｃと表示装置８Ｃとがアナログケーブル３６を介して接続されている場合に、テキストデータがプライベートデータクラスのデータに重畳されたアナログ映像信号を再生装置４Ｃから表示装置８Ｃへ出力することができる。
【０１１８】
（実施の形態５）
［５−１．システムの構成］
次に、図１及び図２を参照しながら、実施の形態５に係るシステム２Ｄの構成について説明する。
【０１１９】
図１及び図２に示すように、実施の形態５に係るシステム２Ｄでは、上記実施の形態４と同様に、再生装置４Ｄと表示装置８Ｄとは、アナログケーブル３６を介して相互に接続されている。
【０１２０】
再生装置４Ｄの生成部１６Ｄは、生成したテキストデータを、映像コンテンツのアナログ映像信号に含まれるクローズドキャプションのデータに重畳させる。具体的には、生成部１６Ｄは、クローズドキャプションの字幕データをテキストデータに書き換える。
【０１２１】
［５−２．システムの動作］
次に、図１１を参照しながら、実施の形態５に係るシステム２Ｄの動作について説明する。図１１は、実施の形態５に係るシステム２Ｄの動作を示すシーケンス図である。
【０１２２】
図１１に示すように、まず、ユーザは、再生装置４ＤのＴＴＳ機能及び表示装置８ＤのＴＴＳ機能をいずれも手動でオンする（Ｓ５０１，Ｓ５０２）。
【０１２３】
その後、ユーザがリモコン６を用いて再生装置４Ｄを操作することにより、再生装置４Ｄの受付部１４は、再生装置４Ｄの操作を受け付ける（Ｓ５０３）。
【０１２４】
その後、再生装置４Ｄの生成部１６Ｄは、受付部１４により受け付けられた操作の内容を示す操作データ（テキストデータ）を生成する（Ｓ５０４）。生成部１６Ｄは、生成したテキストデータを、映像コンテンツのアナログ映像信号に含まれるクローズドキャプションのデータに重畳させる（Ｓ５０５）。
【０１２５】
その後、再生装置４Ｄの映像信号出力部２０Ｄは、操作データ（テキストデータ）がクローズドキャプションのデータに重畳されたアナログ映像信号を表示装置８Ｄに出力する（Ｓ５０６）。
【０１２６】
その後、表示装置８Ｄの映像信号入力部２２Ｄは、再生装置４Ｄからの映像信号を入力し（Ｓ５０７）、アナログ映像信号のクローズドキャプションのデータに重畳された操作データ（テキストデータ）を抽出する（Ｓ５０８）。
【０１２７】
その後、表示装置８Ｄの変換部２４Ｄ（図３参照）は、抽出された操作データのテキストデータをＴＴＳ音声データに変換する（Ｓ５０９）。音声出力部３０は、ＴＴＳ音声データの示す音声を出力する（Ｓ５１０）。
【０１２８】
なお、再生装置４ＤのＴＴＳ機能及び表示装置８ＤのＴＴＳ機能は、いずれもオン又はオフしておくことが好ましい。再生装置４ＤのＴＴＳ機能及び表示装置８ＤのＴＴＳ機能がいずれもオフになっている場合には、通常のクローズドキャプションによる字幕データが表示装置８Ｄにおいて字幕表示される。
【０１２９】
再生装置４ＤのＴＴＳ機能がオン、且つ、表示装置８ＤのＴＴＳ機能がオフになっている場合には、ＴＴＳ機能によるテキストデータが表示装置８Ｄにおいて字幕表示される。
【０１３０】
また、再生装置４ＤのＴＴＳ機能がオフ、且つ、表示装置８ＤのＴＴＳ機能がオンになっている場合には、クローズドキャプションによる字幕データが音声として表示装置８Ｄから出力される。
【０１３１】
［５−３．効果］
本実施の形態では、再生装置４Ｄと表示装置８Ｄとがアナログケーブル３６を介して接続されている場合に、テキストデータがクローズドキャプションのデータに重畳されたアナログ映像信号を再生装置４Ｄから表示装置８Ｄへ出力することができる。
【０１３２】
（変形例）
以上、本発明の実施の形態１〜５に係る制御方法について説明したが、本発明は、これらの実施の形態１〜５に限定されるものではない。例えば、上記各実施の形態をそれぞれ組み合わせてもよい。
【０１３３】
上記各実施の形態では、送信装置を再生装置４（４Ａ，４Ｂ，４Ｃ，４Ｄ）で構成し、受信装置を表示装置８（８Ａ，８Ｂ，８Ｃ，８Ｄ）で構成したが、これに限定されず、それぞれ任意の装置で構成してもよい。
【０１３４】
上記各実施の形態では、再生装置４（４Ａ，４Ｂ）と表示装置８（８Ａ，８Ｂ）とがＨＤＭＩケーブル１２を介して接続され、再生装置４Ｃ（４Ｄ）と表示装置８Ｃ（８Ｄ）とがアナログケーブル３６を介して接続される場合について説明したが、これに限定されない。例えば、Ｗｉ−Ｆｉ（登録商標）等の無線通信により、テキストデータを再生装置から表示装置へ送信してもよい。
【０１３５】
（他の変形例等）
また、上記の各装置は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、ディスプレイユニット、キーボード及びマウス等から構成されるコンピュータシステムとして構成されてもよい。ＲＡＭ又はハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１３６】
さらに、上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ及びＲＡＭ等を含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１３７】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ及びＲＡＭ等から構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【０１３８】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１３９】
さらに、本発明は、上記コンピュータプログラム又は上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ、半導体メモリ等に記録したものとしてもよい。また、これらの非一時的な記録媒体に記録されている上記デジタル信号であるとしてもよい。
【０１４０】
また、本発明は、上記コンピュータプログラム又は上記デジタル信号を、電気通信回線、無線又は有線通信回線、インターネットを代表とするネットワーク、データ放送等を経由して伝送するものとしてもよい。
【０１４１】
また、本発明は、マイクロプロセッサ及びメモリを備えたコンピュータシステムであって、上記メモリは、上記コンピュータプログラムを記憶しており、上記マイクロプロセッサは、上記コンピュータプログラムに従って動作するとしてもよい。
【０１４２】
また、上記プログラム又は上記デジタル信号を上記非一時的な記録媒体に記録して移送することにより、又は、上記プログラム又は上記デジタル信号を上記ネットワーク等を経由して移送することにより、独立した他のコンピュータシステムにより実施するとしてもよい。
【０１４３】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【産業上の利用可能性】
【０１４４】
本発明の制御方法は、例えば送信装置と受信装置とが接続されたシステムにおいて適用することができる。
【符号の説明】
【０１４５】
２，２Ａ，２Ｂ，２Ｃ，２Ｄ  システム
４，４Ａ，４Ｂ，４Ｃ，４Ｄ  再生装置
６  リモコン
８，８Ａ，８Ｂ，８Ｃ，８Ｄ  表示装置
１０  プレイボタン
１２  ＨＤＭＩケーブル
１４  受付部
１６，１６Ａ，１６Ｂ，１６Ｃ，１６Ｄ  生成部
１８  再生部
２０，２０Ａ，２０Ｂ，２２，２２Ａ，２２Ｂ  通信部
２０Ｃ，２０Ｄ  映像信号出力部
２２Ｃ，２２Ｄ  映像信号入力部
２４，２４Ａ，２４Ｂ，２４Ｃ，２４Ｄ  変換部
２６  抽出部
２８  合成部
３０  音声出力部
３２，３４  記憶部
３６  アナログケーブル
【図１】
2018182390.tif 000003
【図２】
2018182390.tif 000004
【図３】
2018182390.tif 000005
【図４】
2018182390.tif 000006
【図５】
2018182390.tif 000007
【図６】
2018182390.tif 000008
【図７】
2018182390.tif 000009
【図８】
2018182390.tif 000010
【図９】
2018182390.tif 000011
【図１０】
2018182390.tif 000012
【図１１】
2018182390.tif 000013